(57)【特許請求の範囲】
【請求項１】
平板を湾曲状に折り曲げることにより上部に位置する前記平板の両端部に切欠き、または窪みを設けると共に、底部を円弧面としたことを特徴とする箸置き台。
【請求項２】
平板を湾曲状に折り曲げることにより上部に位置する前記平板の両端部に切欠き、または窪みを設けると共に、底部を円弧面とした部材を、台板の上面に載置し、固着してなる箸置き台。
【請求項３】
台板の上面に爪楊枝の溝を設けた請求項２に記載された箸置き台。
【発明の詳細な説明】
【技術分野】
【０００１】食物や物を挟む箸を置く道具に関するもの。
【背景技術】
【０００２】箸は食物や物を挟むために用いる２本の細い棒である。
食事前、食事中に２本の箸を置く道具は古くから種々の形状、種々の材料、即ち木、竹、金属、陶器、磁器、プラスチックなどから作られている。
【先行技術文献】
【特許文献】
【０００３】
【特許文献１】公開実用  昭和４７−１３２９１  箸を洗ったあとの水が、収納容器にたまって不衛生になる。箸を凹入部４，５に載置することによって衛生的であり、食事使用中は箸を取り易くしている。箸を空間部７の底に置くものではない。
【特許文献２】実開平６−９５６９  一対の箸を着脱自在に保持できる箸保持具２を箸置き部４として使用できる多目的性を有している。
【発明の概要】
【０００４】
【発明が解決しようとする課題】
【０００５】食事に必須の大切な箸でありながら、箸を置く台などの道具は、日本料理を引き立てる皿、鉢、茶碗などの食器に比較して地味で目立たない存在であった。また箸を取り難い面があった。
簡単な形状で小さいために扱いが面倒で紛失することもあった。
また、食事中に箸を置く位置は雑多であって、箸が転がったりして安定性を欠いていた。
【課題を解決するための手段】
【０００６】上記課題を解決するために［請求項１］に記載の本発明では、平板状の材料を湾曲状、または多角状に折り曲げることにより上部に位置する両方の先端に切欠き、または凹状の窪みを設けると共に底部を円弧面または左右の傾斜面としたものである。【０００７】さらに上記課題を解決するために［請求項２］に記載の本発明では［請求項１］の部材を台板の上面に設置し、固着したものである。【０００８】さらに［請求項３］に記載の本発明では［請求項２］の台板の上面に爪楊枝を置ける溝を設けたものである。
【発明の効果】
【０００９】以上のように本発明によれば、食事前には箸を切欠きに置くことができ、日本刀を置く台のようになる。
目立つ存在となり、かつ箸が取り易い状態になる。
また食事中は円弧面または傾斜面に置くことができ、箸は自然に谷部に安定できる。谷部から外れた位置に置いた時も、谷部に安定できる。【００１０】さらに台板に載置し、固着することにより、さらに安定感と便利性の多機能性が増し、日本料理としての象徴的な存在感を持たせることができる。
外国人にも適用できる。さらに店舗や旅館などに適用できる。
日本刀を置く台をイメージできるデザイン性をも有するものになる。【００１１】さらに台板の上面に爪楊枝を置ける溝を設けたので、一層の多機能性を有する。
【図面の簡単な説明】
【００１２】
【図１−（ａ）】  実施の形態１を示す  断面図と側面図
【図１−（ｂ）】  実施の形態１を示す  斜視図
【図２−（ａ）】  実施の形態２を示す  断面図と側面図
【図２−（ｂ）】  実施の形態２を示す  斜視図
【図３−（ａ）】  実施の形態３を示す  断面図と側面図
【図３−（ｂ）】  実施の形態３を示す  斜視図
【図４−（ａ）】  実施の形態４を示す  断面図と側面図
【図４−（ｂ）】  実施の形態４を示す  斜視図
【図５】  実施の形態５を示す  斜視図
【図６】  実施の形態６を示す  斜視図
【発明を実施するための形態】
【００１３】本発明の［請求項１］に記載の発明は平板状の材料を湾曲状、または多角状に折り曲げることにより、上部に位置する両方の先端に凹状の切欠き、または窪みを設けたもので、さらに、底部を円弧面または左右の傾斜面としたもので、多機能性を有し、箸の存在価値を改善する作用を有する。
【００１４】本発明の［請求項２］に記載の発明は上記［請求項１］の部材を台板の上面に載置し、固着したもので箸置き台としての安定感と便利性を改善する作用を有し、日本料理としての象徴的な存在感を高める。
【００１５】本発明の［請求項３］に記載の発明は［請求項２］の台板の上面に爪楊枝を置くことができる溝を設けたもので、多機能性を有する。
【実施例】
【００１６】以下本発明の実施の形態について図１〜図６を用いて説明する。
【実施例１】
【００１７】実施の形態１であって、図１−（ａ）、図１−（ｂ）を用いて説明する。
図１−（ａ）はＡ−Ａ線における断面図と側面図、
図１−（ｂ）は斜視図である
平板１を湾曲させることにより、上部に位置する両方の先端に凹状の切欠き２、または窪み２を設けて食事前に箸を置くことができるものである。
また、底部５に円弧半径Ｒの円弧面６を設けたもの、食事中に底部５を外れた位置に箸を置いた場合も円弧面の底部５に安定させることができる。
平板１には脚７を設ける。
【実施例２】
【００１８】実施の形態２であって、図２−（ａ）、図２−（ｂ）を用いて説明する。
図２−（ａ）はＡ−Ａ線における断面図と側面図、
図２−（ｂ）は斜視図である
平板１を多角状に折り曲げることにより上部に位置する両方の先端に凹状の切欠き２、または窪み２を設けたものである。
食事前に切欠き２に箸を置くことができる。また底部５に左右の傾斜面８を設けたもので、食事中に底部を外れた位置に箸を置いた場合も傾斜面の底部５に安定させることができる。平板１には脚７を設ける。
【実施例３】
【００１９】実施の形態３であって、図３−（ａ）、図３−（ｂ）を用いて説明する。
図３−（ａ）はＡ−Ａ線における断面図と側面図、
図３−（ｂ）は斜視図である
上記（実施例１）の部材を台板３上に載置し、固着したものである。
さらに台板３の上面に爪楊枝の溝４を設けた。
【実施例４】
【００２０】実施の形態４であって、図４−（ａ）、図４−（ｂ）を用いて説明する。
図４−（ａ）はＡ−Ａ線における断面図と側面図、
図４−（ｂ）は斜視図である
上記（実施例２）の部材を台板３上に載置し、固着したものである。
さらに台板３の上面に爪楊枝の溝４を設けた。
【実施例５】
【００２１】実施の形態５であって、図５を用いて説明する。
平板１を湾曲状、または多角状に折り曲げたものの両方の先端部をさらに折り曲げたものであって折り曲げた上部の先端部に凹状の切欠き２、または窪み２を設けたものである。
【実施例６】
【００２２】実施の形態６であって、図６を用いて説明する。
平板１を上下逆方向に円弧半径Ｒの円弧１０に湾曲させ、湾曲台板９としたものである。
これらはすべて、種々の材質から成形することができる。
またこれらを固着ではなく、プラスチック、ガラス、金属等で一体成形することも可能である。
【符号の説明】  １：平板    （湾曲状または多角状）
２：切欠き  （凹状の窪み）
３：台板
４：爪楊枝の溝
５：底部
６：円弧面  （円弧半径Ｒ）
７：脚
８：傾斜面
９：湾曲台板
１０：湾曲台板の円弧  （円弧半径Ｒ）
【要約】      （修正有）【課題】食事に必須で大切な箸でありながら、箸置き台は、日本料理を引き立てる皿、鉢、茶碗などの食器と比較して地味で目立たない存在であった。また、箸を取り難い面があった。また、簡単な形状で小さいために扱いが面倒で紛失することもあった。また、食事中に箸を置く位置は雑多であって、箸が転がったりして安定性を欠いていた。これらを解決する箸置き台を提供する。【解決手段】平板状の材料を湾曲状、または多角状の折り曲げることにより上部に位置する両方の先端に凹状の切欠き２、または窪みを設けたものである。また、底部を円弧面６または左右の傾斜面としたものである。また、上記の部材を台板３の上面に載置し、固着したものである。さらに台板３の上面に爪楊枝を置ける溝を設けて多機能性を持たせた。【選択図】図３−（ａ）【図１−（ａ）】
0005487459.tif 000002
【図１−（ｂ）】
0005487459.tif 000003
【図２−（ａ）】
0005487459.tif 000004
【図２−（ｂ）】
0005487459.tif 000005
【図３−（ａ）】
0005487459.tif 000006
【図３−（ｂ）】
0005487459.tif 000007
【図４−（ａ）】
0005487459.tif 000008
【図４−（ｂ）】
0005487459.tif 000009
【図５】
0005487459.tif 000010
【図６】
0005487459.tif 000011